(57)【要約】【課題】携帯情報端末において、ファイル誤消去の防止、誤消去したファイルの復活を可能にする。【解決手段】第１の記憶部であるメモリカード４に記憶されたファイルの中から、削除すべきファイルを操作部２の操作で任意に指定させ（Ｓ１）、削除すべきファイルが指定されると、ＣＰＵ１０は、削除すべきファイルをメモリカード４から第２の記憶部であるフラッシュメモリ１９に複製する（Ｓ３）。そして、ＣＰＵ１０は、削除すべきファイルに指定されたファイルをメモリカード４から削除する（Ｓ４）。第１の記憶部と第２の記憶部とは物理的あるいは論理的に区別されていれば足りる。【選択図】  図２
2006260256.tif 000002
【特許請求の範囲】
【請求項１】
ファイルを記憶する着脱可能な記憶媒体及び内蔵記憶媒体と、
前記着脱可能な記憶媒体に記憶されたファイルの内削除すべきファイルを指定するファイル指定部と、
前記指定されたファイルを前記着脱可能な記憶媒体から前記内蔵記憶媒体に複製した上で前記指定されたファイルを前記着脱可能な記憶媒体から削除する制御部と、
を備えた携帯情報端末。
【請求項２】
ファイルを記憶する第１の記憶部及び第２の記憶部と、
前記第１の記憶部に記憶されたファイルの内削除すべきファイルを指定するファイル指定部と、
前記指定されたファイルを前記第１の記憶部から前記第２の記憶部に複製した上で前記指定されたファイルを前記第１の記憶部から削除する制御部と、
を備えた携帯情報端末。
【請求項３】
前記指定されたファイルを複製するか否かを設定する複製設定部をさらに備え、
前記制御部は、前記複製設定部から複製する設定がされた場合は前記指定されたファイルを前記第１の記憶部から前記第２の記憶部に複製した上で前記指定されたファイルを前記第１の記憶部から削除し、前記複製設定部から複製しない設定がされた場合は前記指定されたファイルを前記第１の記憶部から前記第２の記憶部に複製せず前記指定されたファイルを前記第１の記憶部から削除する請求項２に記載の携帯情報端末。
【請求項４】
前記ファイル指定部は前記第１の記憶部に復活させるべきファイルを前記第２の記憶部に記憶されたファイルから指定し、
前記制御部は前記指定された復活させるべきファイルを前記第２の記憶部から前記第１の記憶部に複製する請求項２又は３に記載の携帯情報端末。
【請求項５】
前記ファイルには日時情報が記録されており、
前記制御部は前記第２の記憶部の容量が不足している場合、前記ファイルの日時情報に従って前記第２の記憶部からファイルを削除する請求項２〜４のいずれかに記載の携帯情報端末。
【請求項６】
前記制御部は前記指定されたファイルの複製に必要な空き容量が確保されるまで前記日時情報の古いファイルから順次削除する請求項５に記載の携帯情報端末。
【請求項７】
現在時刻を出力するＲＴＣ部をさらに備え、
前記制御部は前記日時情報の示す時刻から前記現在時刻までの経過時間が所定の経過時間を超えている場合、前記日時情報を記録したファイルを前記第２の記憶部から削除する請求項５に記載の携帯情報端末。
【請求項８】
前記ファイル指定部は前記第２の記憶部に記憶されたファイルの内削除すべきファイルを指定し、
前記制御部は前記指定されたファイルを前記第２の記憶部から削除する請求項２〜７のいずれかに記載の携帯情報端末。
【請求項９】
前記第２の記憶部は携帯情報端末に内蔵された記憶媒体を含む請求項２〜８のいずれかに記載の携帯情報端末。
【請求項１０】
前記第１の記憶部及び第２の記憶部は同一の記憶媒体に設けられた記憶区画である請求項２〜９のいずれかに記載の携帯情報端末。
【請求項１１】
前記第１の記憶部は着脱可能な記憶媒体を含む請求項９又は１０に記載の携帯情報端末。
【請求項１２】
被写体像を光電変換して被写体の画像を得る撮像部と、
前記画像を記憶する第１の記憶部及び第２の記憶部と、
前記第１の記憶部に記憶された画像の内削除すべき画像を指定する操作部と、
前記指定された画像を前記第１の記憶部から前記第２の記憶部に複製した上で前記指定された画像を前記第１の記憶部から削除する制御部と、
を備えた画像記録装置。
【請求項１３】
ファイルを記憶する第１の記憶部及び第２の記憶部を備えた携帯情報端末におけるファイル管理方法であって、
前記第１の記憶部に記憶されたファイルの内削除すべきファイルを指定するステップと、
前記指定されたファイルを前記第１の記憶部から前記第２の記憶部に複製した上で前記指定されたファイルを前記第１の記憶部から削除するステップと、
を含むファイル管理方法。
【請求項１４】
ファイルを記憶する第１の記憶部及び第２の記憶部を備えた携帯情報端末におけるファイル管理プログラムであって、
前記第１の記憶部に記憶されたファイルの内削除すべきファイルを指定するステップと、
前記指定されたファイルを前記第１の記憶部から前記第２の記憶部に複製した上で前記指定されたファイルを前記第１の記憶部から削除するステップと、
を前記携帯情報端末に実行させるファイル管理プログラム。
【発明の詳細な説明】
【技術分野】
【０００１】
本発明は携帯情報端末におけるファイル誤消去防止に関する。
【背景技術】
【０００２】
従来、パソコンなどの電子機器において、誤消去したファイルを復活させる技術が知られている。通常、ファイルの削除が指定されると、そのファイルはディレクトリから排除されて管理対象外となるだけであり、ファイルそのものが記憶媒体から消去されるのではなく、データが上書きされるまでは記憶媒体に残っている。これを利用して、一旦ディレクトリ管理対象から外されたファイルを再び管理対象にすることで、削除したファイルを復活させることができる。
【非特許文献１】「ファイルを完全に削除し、復活不可能にする手段」、インターネットＵＲＬ［http://forum.nifty.com/fpcu/dosvcmd/delete2.htm］、平成１７年２月２４日検索
【発明の開示】
【発明が解決しようとする課題】
【０００３】
ところで、デジタルカメラ、携帯電話機、ＰＤＡなどの各種携帯情報端末においては、機器の携帯性を高める都合上、搭載できる記憶媒体の容量がパソコン等に比べて大幅に制限される。このため、データの上書きが直ちに生じる可能性が高く、上記非特許文献１の機能をそのまま搭載してファイル復活をさせるのは難しい。特にデジタルカメラで撮像した画像は、近年の撮像素子の機能向上に伴ってファイルサイズが巨大化しており、データの上書きが生じる可能性がさらに高まる。
【０００４】
本発明はこのような問題点に鑑みてなされたもので、デジタルカメラ等の携帯情報端末において、ファイル誤消去の防止、誤消去したファイルの復活を可能にすることを目的とする。
【課題を解決するための手段】
【０００５】
上記課題を解決するため、本発明に係る携帯情報端末は、ファイルを記憶する着脱可能な記憶媒体及び内蔵記憶媒体と、着脱可能な記憶媒体に記憶されたファイルの内削除すべきファイルを指定するファイル指定部と、指定されたファイルを着脱可能な記憶媒体から内蔵記憶媒体に複製した上で指定されたファイルを着脱可能な記憶媒体から削除する制御部と、を備えた。
【０００６】
この携帯情報端末は、指定されたファイルを着脱可能な記憶媒体から内蔵記憶媒体に複製した上で着脱可能な記憶媒体から削除する。
【０００７】
このため、ファイルが誤消去されても、内蔵記憶媒体から復活させることができ、また、複製されたファイルは着脱可能な記憶媒体とは別個の内蔵記憶媒体で管理されるため、従来のように管理対象から外されたファイルが上書きされて復活が不可能になるといったことがない。
【０００８】
本発明に係る携帯情報端末は、ファイルを記憶する第１の記憶部及び第２の記憶部と、第１の記憶部に記憶されたファイルの内削除すべきファイルを指定するファイル指定部と、指定されたファイルを第１の記憶部から第２の記憶部に複製した上で指定されたファイルを第１の記憶部から削除する制御部と、を備えた。
【０００９】
この携帯情報端末は、指定されたファイルを第１の記憶部から第２の記憶部に複製した上で第１の記憶部から削除する。
【００１０】
このため、第１の記憶部からファイルが誤消去されても、第２の記憶部から復活させることができ、また、複製されたファイルは第１の記憶部とは別個の第２の記憶部で管理されるため、従来のように管理対象から外されたファイルが上書きされて復活が不可能になるといったことがない。
【００１１】
なお、第１の記憶部と第２の記憶部とは別個の記憶媒体であるか、あるいは別個のディレクトリで管理されるなど、物理的あるいは論理的に区別されていれば足りる。
【００１２】
この携帯情報端末は、指定されたファイルを複製するか否かを設定する複製設定部をさらに備え、制御部は、複製設定部から複製する設定がされた場合は指定されたファイルを第１の記憶部から第２の記憶部に複製した上で指定されたファイルを第１の記憶部から削除し、複製設定部から複製しない設定がされた場合は指定されたファイルを第１の記憶部から第２の記憶部に複製せず指定されたファイルを第１の記憶部から削除するようにしてもよい。
【００１３】
こうすれば、ユーザがファイルを複製するか否かを任意に設定できる。
【００１４】
ファイル指定部は第１の記憶部に復活させるべきファイルを第２の記憶部に記憶されたファイルから指定し、制御部は指定された復活させるべきファイルを第２の記憶部から第１の記憶部に複製するようにしてもよい。
【００１５】
ファイルには日時情報が記録されており、制御部は第２の記憶部の容量が不足している場合、ファイルの日時情報に従って第２の記憶部からファイルを削除するようにしてもよい。
【００１６】
例えば、制御部は指定されたファイルの複製に必要な空き容量が確保されるまで日時情報の古いファイルから順次削除するようにしてもよい。
【００１７】
こうすれば、通常復活させる可能性の低い古いファイルから順次削除していってファイルの複製に必要な空き容量を確保でき、復活させたいファイルが存在しないといった不都合を可及的に防止できる。
【００１８】
この携帯情報端末は、現在時刻を出力するＲＴＣ部をさらに備え、制御部は日時情報の示す時刻から現在時刻までの経過時間が所定の経過時間を超えている場合、日時情報を記録したファイルを第２の記憶部から削除するようにしてもよい。
【００１９】
日時情報の示す時刻（例えば複製日時や撮影日時）から所定時間の経過したファイルを削除しても、通常復活させる可能性の低い古いファイルから削除できる。
【００２０】
ファイル指定部は第２の記憶部に記憶されたファイルの内削除すべきファイルを指定し、制御部は指定されたファイルを第２の記憶部から削除するようにしてもよい。
【００２１】
こうすれば、ユーザが完全に削除してもよいファイルを任意に指定して必要な空き容量を確保できる。
【００２２】
第２の記憶部は携帯情報端末に内蔵された記憶媒体を含む。
【００２３】
第１の記憶部及び第２の記憶部は同一の記憶媒体に設けられた記憶区画であってもよい。
【００２４】
第１の記憶部は着脱可能な記憶媒体を含む。
【００２５】
本発明に係る画像記録装置は、被写体像を光電変換して被写体の画像を得る撮像部と、画像を記憶する第１の記憶部及び第２の記憶部と、第１の記憶部に記憶された画像の内削除すべき画像を指定する操作部と、指定された画像を第１の記憶部から第２の記憶部に複製した上で指定された画像を第１の記憶部から削除する制御部と、を備えた。
【００２６】
この画像記録装置は、本発明に係る携帯情報端末の好ましい一形態であるが、携帯情報端末は画像記録装置に限られず、携帯電話機やＰＤＡなどであってもよい。
【００２７】
本発明に係るファイル管理方法は、ファイルを記憶する第１の記憶部及び第２の記憶部を備えた携帯情報端末におけるファイル管理方法であって、第１の記憶部に記憶されたファイルの内削除すべきファイルを指定するステップと、指定されたファイルを第１の記憶部から第２の記憶部に複製した上で指定されたファイルを第１の記憶部から削除するステップと、を含む。
【００２８】
本発明に係るファイル管理プログラムは、ファイルを記憶する第１の記憶部及び第２の記憶部を備えた携帯情報端末におけるファイル管理プログラムであって、第１の記憶部に記憶されたファイルの内削除すべきファイルを指定するステップと、指定されたファイルを第１の記憶部から第２の記憶部に複製した上で指定されたファイルを第１の記憶部から削除するステップと、を携帯情報端末に実行させる。
【発明の効果】
【００２９】
この携帯情報端末は、指定されたファイルを第１の記憶部から第２の記憶部に複製した上で第１の記憶部から削除する。
【００３０】
このため、第１の記憶部からファイルが誤消去されても、第２の記憶部から復活させることができ、また、複製されたファイルは第１の記憶部とは第２の記憶部で管理されるため、従来のように管理対象から外されたファイルが上書きされて復活が不可能になるといったことがない。
【発明を実施するための最良の形態】
【００３１】
以下、添付した図面を参照し本発明の好ましい実施の形態を説明する。
【００３２】
＜第１実施形態＞
［概略構成］
図１は、本発明の好ましい実施形態に係る画像記録装置１の機能ブロック図である。画像記録装置１は、撮像レンズ１１、ＣＣＤなどの固体撮像素子１２、ドライバ１２２が固体撮像素子１２から読み取ったアナログ画像をデジタル信号に処理するためのアナログフロントエンドＩＣ１３、アナログフロントエンドＩＣ１３からのデジタル画像信号を処理するＤＳＰ（Digital Signal Processor）等の信号処理ＩＣ１４、中央演算処理装置（ＣＰＵ）１０、表示部１７の表示制御を行う表示コントローラ１６などを備えている。画像記録装置１の各回路への電源供給は画像記録装置１の筐体内部に装着される電池からなる主要電源１６４から供給される。ＲＴＣ（Real Time Clock）１５は計時専用のチップであり、画像記録装置１の主要電源１６４がオフされていても別個の電池から電源供給を受けて動作する。
【００３３】
また、画像記録装置１は、メモリカード４からのデータ読み取りやメモリカード４へのデータ記録を行うカードコネクタ８０、記録内容の書き換えが可能な内蔵型のフラッシュメモリ１９、各種データやプログラムを記憶するＲＯＭ２０、ＣＰＵ１０の処理に必要な各種データを記憶するＲＡＭ２１を備えている。上記の各部はバス（ＢＵＳ）を介して接続されている。
【００３４】
撮像レンズ１１には、例えば光学２倍ズームレンズが用いられ、操作部２から入力される倍率変更操作に応じてモータドライバ１４０が撮像レンズ１１を望遠（テレ）側又は広角（ワイド）側に進退駆動することで光学ズーム倍率が変更される。撮像レンズ１１の倍率は上記に限定されない。撮像レンズ１１には絞り１１６が設けられており、モータドライバ１４０を介して絞り１１６を制御して適正な露光量を得る。
【００３５】
操作部２によって撮影モードが設定されると、ＣＰＵ１０は、動画（スルー画）を表示部１７に表示させ、撮影画角を確認可能にする。即ち、固体撮像素子１２は、撮像レンズ１１の受光面に結像された被写体光をその光量に応じた量の信号電荷に変換する。このようにして蓄積された各画素の信号電荷は、ＣＰＵ１０の指令に従いタイミングジェネレータ１２１から与えられる駆動パルスに基づき、信号電荷に応じた電圧信号（画像信号）としてドライバ１２２によって順次個別に読み出され、アナログフロントエンド回路１３でデジタル信号に変換されてそれぞれ信号処理回路１４に加えられる。
【００３６】
信号処理回路１４は、ゲイン調整回路及びＡ／Ｄ変換器を含み、輝度・色差信号生成回路、ガンマ補正回路、シャープネス補正回路、コントラスト補正回路、ホワイトバランス補正回路、撮影画像に対する輪郭補正を含む画像処理を行う輪郭処理部、画像のノイズ低減処理を行うノイズ低減処理部等を含む画像処理手段であり、ＣＰＵ１０からのコマンドに従って画像信号を処理する。
【００３７】
信号処理回路１４に入力された画像データは、輝度信号（Ｙ信号）及び色差信号（Ｃｒ、Ｃｌ信号）に変換されるとともに、ガンマ補正等の所定の処理が施された後、ＶＲＡＭ１３２に格納される。
【００３８】
撮影画像を表示部１７にモニタ出力する場合、ＶＲＡＭ１３２からＹＣ信号が読み出され、表示コントローラ１６に送られる。表示コントローラ１６は、入力されたＹＣ信号を表示用の所定方式の信号（例えば、ＮＴＳＣ方式のカラー複合映像信号）に変換して表示部１７に出力する。
【００３９】
ＶＲＡＭ１３２の画像データは、必要に応じて信号処理回路１４から電子ズーム回路６２に加えられる。電子ズーム回路６２は、画像の拡大／縮小処理を行う。すなわち、画像データの一部を切り出し、その切り出し範囲を拡大／縮小することにより、画像の拡大／縮小処理を行なう。そして、その拡大／縮小後の画像データをＶＲＡＭ１３２に出力する。切り出し範囲は十字ボタンなどの操作部２の操作で画像上の任意の位置に移動させることができ、これにより画像データの所望の範囲を拡大／縮小できる。
【００４０】
所定のフレームレートで処理された各フレームのＹＣ信号は、ＶＲＡＭ１３２のＡ領域とＢ領域とに交互に書き込まれ、ＶＲＡＭ１３２のＡ領域及びＢ領域のうち、ＹＣ信号が書き込まれている方の領域以外の領域から、書き込まれているＹＣ信号が読み出される。このようにしてＶＲＡＭ１３２内のＹＣ信号が定期的に書き換えられ、そのＹＣ信号から生成される映像信号が表示部１７に供給されることにより、撮像中の映像がリアルタイムに表示部１７に表示される。ユーザは、表示部１７に表示される映像（スルー）によって撮影画角を確認できる。
【００４１】
ここで、操作部２に設けられた撮影キーが押下されると、記録用の撮影動作がスタートする。撮影キーの押下に応動して取得された画像データは信号処理回路１４において輝度／色差信号（Ｙ／Ｃ信号）に変換され、ガンマ補正等の所定の処理が施された後、ＲＡＭ２１に格納される。
【００４２】
ＲＡＭ２１に格納されたＹ／Ｃ信号は、圧縮伸長処理回路１４４によって所定のフォーマットに従って圧縮された後、カードコネクタ８０を介してメモリカード４にExifファイルなどの所定フォーマットの画像ファイルとして記録される。
【００４３】
操作部２によって動画撮影モードが設定されたときには、撮影キーの押下操作に連動して動画記録動作がスタートし、もう一度撮影キーを押下すると動画記録動作が停止する。撮影キーを押下継続している期間、録画動作を行い、押下解除によって録画を停止するようにしてもよい。動画データは、例えばモーションＪＰＥＧ（ＭＰＥＧ）形式によって、本発明に係る第１の記憶部の一態様であるメモリカード４に記録される。
【００４４】
操作部２によって再生モードが設定されると、メモリカード４に記録されている最終の画像ファイル（最後に記録されたファイル）の圧縮データが読み出される。最後の記録に係るファイルが静止画ファイルの場合、この読み出された画像圧縮データは、圧縮伸長処理回路１４４を介して非圧縮のＹＣ信号に伸長され、ＶＲＡＭ１３２に保存される。ＶＲＡＭ１３２に保存されたＹＣ信号は、表示コントローラ１６に加えられる。表示コントローラ１６は、入力するＹＣ信号からＮＴＳＣ方式のＲＧＢカラー複合映像信号を作成し、これを表示部１７に出力する。これにより、表示部１７にはメモリカード４に記録されている最終コマのコマ画像が表示される。
【００４５】
その後、操作部２に設けられた十字キーの右キーが押されると、順方向にコマ送りされ、十字キーの左キーが押されると、逆方向にコマ送りされる。そして、コマ送りされたコマ位置の画像ファイルがメモリカード４から読み出され、上記と同様にしてコマ画像が表示部１７に再生される。尚、最終コマのコマ画像が表示されている状態で順方向にコマ送りされると、メモリカード４に記録されている１コマ目の画像ファイルが読み出され、１コマ目のコマ画像が表示部１７に再生される。
【００４６】
画像ファイルなどの各種ファイルは、本発明に係る第２の記憶部の一態様であるフラッシュメモリ１９に記憶することもできる。フラッシュメモリ１９に画像ファイルを記憶させる場合、記憶させる画像の画素サイズ及び枚数を考慮した容量を備えさせることが好ましい。フラッシュメモリ１９の用途はファイル記憶に限る必然性はなく、電源１６４の異常発生などの緊急時にＶＲＡＭ１３２の記憶データ等を退避させるのに用いてもよい。
【００４７】
第１の記憶部と第２の記憶部とは別個のディレクトリで管理されるなど、物理的あるいは論理的に区別されていれば足りる。
【００４８】
記憶させる画像ファイルの画素数は、例えば、2832×2128（６Ｍ）、2048×1536（３Ｍ）、1280× 960（１Ｍ）、640 × 480（ＶＧＡ）の何れかであり、記録画質と記録画素数との組合せによって撮影画像のデータ量（ファイルサイズ）が変化する。
【００４９】
次に、本発明に係る画像記録装置の実行する処理の流れを説明する。
【００５０】
図２は、ファイル削除処理の流れを示すフローチャートである。
【００５１】
まず、第１の記憶部であるメモリカード４に記憶されたファイル（画像ファイルに限らない）の中から、削除すべきファイルを操作部２の操作で任意に指定させる（Ｓ１）。削除すべきファイルが指定されると、ＣＰＵ１０は、現在複製モードが設定されているか否かを判断する。複製モードとは、削除すべきファイルをフラッシュメモリ１９に複製した上でメモリカード４から削除するか否かを決定する動作モードである。複製モードは、例えば、図３に示すような表示部１７のＧＵＩを介した操作部２の操作で設定可能であり、「設定」アイコンＭ１が選択されれば複製モードが設定され、「解除」アイコンＭ２が選択されれば複製モードの設定が解除される。即ち、削除すべきファイルをフラッシュメモリ１９に複製するか否かは、複製モードを設定／解除することで、ユーザが任意に選択できる。
複製モードが設定されている場合はＳ３に移行し、複製モードが設定されていない場合はＳ４に移行する。
【００５２】
複製モードが設定されている場合、ＣＰＵ１０は、削除すべきファイルをメモリカード４からフラッシュメモリ１９に複製する。
【００５３】
ＣＰＵ１０は、削除すべきファイルに指定されたファイルをメモリカード４から削除する（Ｓ４）。
【００５４】
以上の処理では、削除すべきファイルに指定されたファイルをメモリカード４からフラッシュメモリ１９に複製した上でメモリカード４から削除する。このため、メモリカード４からファイルを誤消去しても、メモリカード４から復活させることができる。
【００５５】
具体的には、一旦メモリカード４から誤って削除したファイルは、次のような手順で復活させることができる。
【００５６】
図４はファイル復活処理の流れを示すフローチャートである。
【００５７】
まず、ＣＰＵ１０は、フラッシュメモリ１９に複製されたファイルの中から復活させるべき所望のファイルを操作部２の操作によって指定させる（Ｓ１１）。
【００５８】
ＣＰＵ１０は、復活させるべきファイルに指定されたファイルを、フラッシュメモリ１９からメモリカード４に複製する（Ｓ１２）。
【００５９】
以上より、あるファイルが必要ないと勘違いしたりメモリカード４の容量が足らないなどの理由でファイルをメモリカード４から誤消去しても、フラッシュメモリ１９にこのファイルが複製されていれば、再びメモリカード４に復帰させることが可能である。
【００６０】
＜第２実施形態＞
上述のファイル削除処理において、第２の記憶部の容量が不足している場合、ファイルの複製日時・作成日時・更新日時等を示すタイムスタンプやExifタグの撮影日時など、ファイルに記録された各種の日時情報に従ってファイルを第２の記憶部から削除し、ファイルの複製に必要な空き容量を確保するようにしてもよい。
【００６１】
図５は第２実施形態に係るファイル削除処理の流れを示すフローチャートである。この処理は、第１実施形態に係るファイル削除処理の処理ステップＳ１〜Ｓ４を含んでいるが、処理ステップＳ２とＳ３の間に処理ステップＳ２０及びＳ２１が追加されている。
【００６２】
即ち、Ｓ２０では、ＣＰＵ１０は、削除すべきファイルに指定されたファイルのサイズと、第２の記憶媒体であるフラッシュメモリ１９の空き容量とを比較し、フラッシュメモリ１９の空き容量が削除すべきファイルに指定されたファイルのサイズ未満であり、空き容量が不足しているか否かを判断する。空き容量が不足している場合はＳ２１に移行し、空き容量が不足していない場合はＳ３に移行する。
【００６３】
Ｓ２１では、ＣＰＵ１０は、既にフラッシュメモリ１９に記憶されているファイルの日時情報に従ってフラッシュメモリ１９のファイルを削除し、指定されたファイルの複製に必要な空き容量を確保する。
【００６４】
具体的には、以下のようにして日時情報に従った削除を行う。
【００６５】
例えば、既にフラッシュメモリ１９に記憶されているファイルの日時情報の内、日時情報の示す日時の古いファイルから、削除すべきファイルの複製に必要な空き容量が確保されるまで順次削除する。通常、第２の記憶部に記憶された日時情報が古ければ、それだけ復活処理で第１の記憶部に複製する可能性が低くなると考えられる。このため、日時情報の古いファイルから順次削除することで、あとあとで復活させたくなったファイルが第２の記憶部から削除されていることを可及的に防止できる。なお、フラッシュメモリ１９の最大記憶容量が大きいほど古いファイルを可及的に残すことができるのはいうまでもない。
【００６６】
また、例えば、所定の経過時間の閾値を予めＲＯＭ２０に設定しておき、日時情報の示す時刻からＲＴＣ１５の出力する現在時刻までの経過時間が所定の経過時間の閾値を超えているか否かを判断する。経過時間が閾値を超えていれば、この日時情報を記録したファイルをフラッシュメモリ１９から削除する。このようにすれば、日時情報の古いファイルをまとめて削除できる。ただし、経過時間が閾値を超えたファイルをまとめて削除しても、必要な空き容量が確保されるとは限らない。この場合、日時情報の古いファイルから順次削除する方法を併用するか、後述のように削除すべきファイルをユーザに指定させる必要がある。所定の経過時間の閾値は操作部２から任意に設定できるようにしてもよい。こうすれば、削除すべきファイルの選別にユーザの意思を反映することができる。
【００６７】
なお、日時情報とは無関係に、第２の記憶部から削除すべきファイルを操作部２から任意に指定させ、指定されたファイルを削除してもよい。この場合でも、空き容量の確保が可能であるし、完全に削除してもよいファイルをユーザに任意に選択させることができる。
【００６８】
＜第３実施形態＞
ＲＯＭ２０が情報の書き換え可能な不揮発性メモリで構成されており、かつファイルの記憶に必要な空き容量が確保されていれば、ＲＯＭ２０にファイルを複製してもよい。この場合、図６に示すような、フラッシュメモリ１９が内蔵されていない画像記録装置においても、上述のファイル複製処理及びファイル復活処理の実行が可能である。
【００６９】
＜第４実施形態＞
第１の記憶部及び第２の記憶部は同一の記憶媒体に設けられた記憶区画であってもよい。例えば、図７に示すように、メモリカード４に第１の記憶領域４ａと第２の記憶領域４ｂとを設ける。第１の記憶領域４ａと第２の記憶領域４ｂとは物理的または論理的に区別される。第１の記憶領域４ａを第１の記憶部とし、第２の記憶領域４ｂを第２の記憶部とすれば、上述のファイル複製処理及びファイル復活処理の実行が可能である。
【００７０】
あるいは、図８に示すように、フラッシュメモリ１９に第１の記憶領域１９ａと第２の記憶領域１９ｂとを設ける。第１の記憶領域１９ａと第２の記憶領域１９ｂとは物理的または論理的に区別される。第１の記憶領域１９ａを第１の記憶部とし、第２の記憶領域１９ｂを第２の記憶部とすれば、上述のファイル複製処理及びファイル復活処理の実行が可能である。
【００７１】
＜その他の実施形態＞
上述のファイル削除処理及びファイル復活処理は、画像記録装置以外の各種携帯情報端末、例えば携帯電話機（カメラ機能付も含む）、ＰＤＡなどでも実行可能である。上述のファイル削除処理及びファイル復活処理において、ファイルは画像ファイルに限らずテキストファイル、音声ファイルなどの各種ファイルであってもよい。
【図面の簡単な説明】
【００７２】
【図１】本発明の好ましい実施形態に係る画像記録装置のブロック図
【図２】第１実施形態に係るファイル削除処理の流れを示すフローチャート
【図３】複製モード設定画面の一例を示す図
【図４】ファイル復活処理の流れを示すフローチャート
【図５】第２実施形態に係るファイル削除処理の流れを示すフローチャート
【図６】第３実施形態に係る画像記録装置のブロック図
【図７】第１の記憶領域及び第２の記憶領域の設けられたメモリカードを備えた画像記録装置のブロック図
【図８】第１の記憶領域及び第２の記憶領域の設けられたフラッシュメモリを備えた画像記録装置のブロック図
【符号の説明】
【００７３】
４：メモリカード、１０：ＣＰＵ、１１：撮像レンズ、１７：表示部、１９：フラッシュメモリ
【図１】
2006260256.tif 000003
【図２】
2006260256.tif 000004
【図３】
2006260256.tif 000005
【図４】
2006260256.tif 000006
【図５】
2006260256.tif 000007
【図６】
2006260256.tif 000008
【図７】
2006260256.tif 000009
【図８】
2006260256.tif 000010